(57)【要約】  本技術は、時刻情報の精度に起因する時刻の誤差を低減することができるようにするデータ処理装置、及び、データ処理方法に関する。データ処理装置は、物理層フレームのフレーム長に応じた時刻の精度を有する時刻情報を含むシグナリングを生成し、当該シグナリングを、物理層フレームのプリアンブルに含まれるように処理することで、時刻情報に起因する時刻の誤差を低減することができるようにする。本技術は、例えば、ATSC3.0等の放送方式に対応した送信機に適用することができる。
2017090456.tif 000002
【特許請求の範囲】
【請求項１】
物理層フレームのフレーム長に応じた時刻の精度を有する時刻情報を含むシグナリングを生成する生成部と、
前記シグナリングを、前記物理層フレームのプリアンブルに含まれるように処理する処理部と
を備えるデータ処理装置。
【請求項２】
前記シグナリングは、第１の情報と、前記第１の情報の後に読み出される第２の情報とを含み、
前記時刻情報は、前記第１の情報及び前記第２の情報の少なくとも一方の情報に含まれる
請求項１に記載のデータ処理装置。
【請求項３】
前記物理層フレームのフレーム長は、ミリ秒単位よりも高い精度を有し、
前記時刻情報は、ミリ秒単位よりも高い精度を有する
請求項２に記載のデータ処理装置。
【請求項４】
前記第２の情報は、秒単位の時刻情報、及び、ミリ秒単位の時刻情報を含み、
前記第１の情報は、マイクロ秒単位の時刻情報、又は、マイクロ秒単位の時刻情報及びナノ秒単位の時刻情報を含む
請求項３に記載のデータ処理装置。
【請求項５】
前記第１の情報は、秒単位の時刻情報、ミリ秒単位の時刻情報、並びにマイクロ秒単位の時刻情報、又は、マイクロ秒単位の時刻情報及びナノ秒単位の時刻情報を含む
請求項３に記載のデータ処理装置。
【請求項６】
前記第２の情報は、秒単位の時刻情報、ミリ秒単位の時刻情報、並びにマイクロ秒単位の時刻情報、又は、マイクロ秒単位の時刻情報及びナノ秒単位の時刻情報を含む
請求項３に記載のデータ処理装置。
【請求項７】
前記物理層フレームのフレーム長は、ミリ秒単位の精度を有し、
前記時刻情報は、ミリ秒単位よりも高い精度を有する
請求項２に記載のデータ処理装置。
【請求項８】
前記物理層フレームは、ATSC(Advanced Television Systems Committee)3.0で規定される物理層フレームであって、
前記第１の情報は、ATSC3.0で規定されるプリアンブルに含まれるL1基本情報（L1-Basic）であり、
前記第２の情報は、ATSC3.0で規定されるプリアンブルに含まれるL1詳細情報（L1-Detail）である
請求項２に記載のデータ処理装置。
【請求項９】
前記物理層フレームのフレーム長をミリ秒単位に調整する第１のモードと、前記物理層フレームのフレーム長を調整しない第２のモードがあり、
前記第２のモードが設定された場合に、前記時刻情報が、ミリ秒単位よりも高い精度を有するようにする
請求項３に記載のデータ処理装置。
【請求項１０】
データ処理装置のデータ処理方法において、
前記データ処理装置が、
物理層フレームのフレーム長に応じた時刻の精度を有する時刻情報を含むシグナリングを生成し、
前記シグナリングを、前記物理層フレームのプリアンブルに含まれるように処理する
ステップを含むデータ処理方法。
【請求項１１】
物理層フレームのプリアンブルに含まれる、前記物理層フレームのフレーム長に応じた時刻の精度を有する時刻情報を含むシグナリングを処理する処理部を備える
データ処理装置。
【請求項１２】
前記シグナリングは、第１の情報と、前記第１の情報の後に読み出される第２の情報とを含み、
前記時刻情報は、前記第１の情報及び前記第２の情報の少なくとも一方の情報に含まれる
請求項１１に記載のデータ処理装置。
【請求項１３】
前記物理層フレームのフレーム長は、ミリ秒単位よりも高い精度を有し、
前記時刻情報は、ミリ秒単位よりも高い精度を有する
請求項１２に記載のデータ処理装置。
【請求項１４】
前記第２の情報は、秒単位の時刻情報、及び、ミリ秒単位の時刻情報を含み、
前記第１の情報は、マイクロ秒単位の時刻情報、又は、マイクロ秒単位の時刻情報及びナノ秒単位の時刻情報を含む
請求項１３に記載のデータ処理装置。
【請求項１５】
前記第１の情報は、秒単位の時刻情報、ミリ秒単位の時刻情報、並びにマイクロ秒単位の時刻情報、又は、マイクロ秒単位の時刻情報及びナノ秒単位の時刻情報を含む
請求項１３に記載のデータ処理装置。
【請求項１６】
前記第２の情報は、秒単位の時刻情報、ミリ秒単位の時刻情報、並びにマイクロ秒単位の時刻情報、又は、マイクロ秒単位の時刻情報及びナノ秒単位の時刻情報を含む
請求項１３に記載のデータ処理装置。
【請求項１７】
前記物理層フレームのフレーム長は、ミリ秒単位の精度を有し、
前記時刻情報は、ミリ秒単位よりも高い精度を有する
請求項１２に記載のデータ処理装置。
【請求項１８】
前記物理層フレームは、ATSC3.0で規定される物理層フレームであって、
前記第１の情報は、ATSC3.0で規定されるプリアンブルに含まれるL1基本情報（L1-Basic）であり、
前記第２の情報は、ATSC3.0で規定されるプリアンブルに含まれるL1詳細情報（L1-Detail）である
請求項１２に記載のデータ処理装置。
【請求項１９】
前記物理層フレームのフレーム長をミリ秒単位に調整する第１のモードと、前記物理層フレームのフレーム長を調整しない第２のモードがあり、
前記第２のモードが設定された場合に、前記時刻情報が、ミリ秒単位よりも高い精度を有するようにする
請求項１３に記載のデータ処理装置。
【請求項２０】
データ処理装置のデータ処理方法において、
前記データ処理装置が、
物理層フレームのプリアンブルに含まれる、前記物理層フレームのフレーム長に応じた時刻の精度を有する時刻情報を含むシグナリングを処理する
ステップを含むデータ処理方法。
【発明の詳細な説明】
【技術分野】
【０００１】
本技術は、データ処理装置、及び、データ処理方法に関し、特に、時刻情報の精度に起因する時刻の誤差を低減することができるようにしたデータ処理装置、及び、データ処理方法に関する。
【背景技術】
【０００２】
次世代の放送方式の１つとして、ATSC(Advanced Television Systems Committee)3.0の策定が進められている（例えば、非特許文献１参照）。ATSC3.0では、伝送方式として、現在広く普及しているMPEG2-TS(Transport Stream)方式ではなく、通信の分野で用いられているIP(Internet Protocol)パケットをデジタル放送に用いたIP伝送方式を導入することで、より高度なサービスを提供することが想定されている。
【先行技術文献】
【非特許文献】
【０００３】
【非特許文献１】ATSC Candidate Standard：Physical Layer Protocol（Doc. S32-230r21 28 September 2015）
【発明の概要】
【発明が解決しようとする課題】
【０００４】
ところで、ATSC3.0等の放送方式によるデータ伝送においては、物理層フレームで伝送されるシグナリングに含まれる時刻情報の精度に起因して時刻の誤差が生じる場合があり、この時刻情報の精度に起因する時刻の誤差を低減するための提案が要請されていた。【０００５】
本技術はこのような状況に鑑みてなされたものであり、時刻情報の精度に起因する時刻の誤差を低減することができるようにするものである。
【課題を解決するための手段】
【０００６】
本技術の第１の側面のデータ処理装置は、物理層フレームのフレーム長に応じた時刻の精度を有する時刻情報を含むシグナリングを生成する生成部と、前記シグナリングを、前記物理層フレームのプリアンブルに含まれるように処理する処理部とを備えるデータ処理装置である。【０００７】
本技術の第１の側面のデータ処理装置は、独立した装置であってもよいし、１つの装置を構成している内部ブロックであってもよい。また、本技術の第１の側面のデータ処理方法は、上述した本技術の第１の側面のデータ処理装置に対応するデータ処理方法である。【０００８】
本技術の第１の側面のデータ処理装置、及び、データ処理方法においては、物理層フレームのフレーム長に応じた時刻の精度を有する時刻情報を含むシグナリングが生成され、前記シグナリングが、前記物理層フレームのプリアンブルに含まれるように処理される。【０００９】
本技術の第２の側面のデータ処理装置は、物理層フレームのプリアンブルに含まれる、前記物理層フレームのフレーム長に応じた時刻の精度を有する時刻情報を含むシグナリングを処理する処理部を備えるデータ処理装置である。【００１０】
本技術の第２の側面のデータ処理装置は、独立した装置であってもよいし、１つの装置を構成している内部ブロックであってもよい。また、本技術の第２の側面のデータ処理方法は、上述した本技術の第２の側面のデータ処理装置に対応するデータ処理方法である。【００１１】
本技術の第２の側面のデータ処理装置、及び、データ処理方法においては、物理層フレームのプリアンブルに含まれる、前記物理層フレームのフレーム長に応じた時刻の精度を有する時刻情報を含むシグナリングが処理される。
【発明の効果】
【００１２】
本技術の第１の側面、及び、第２の側面によれば、時刻情報の精度に起因する時刻の誤差を低減することができる。【００１３】
なお、ここに記載された効果は必ずしも限定されるものではなく、本開示中に記載されたいずれかの効果であってもよい。
【図面の簡単な説明】
【００１４】
【図１】本技術を適用した伝送システムの構成例を示す図である。
【図２】物理層フレームの構造を示す図である。
【図３】物理層フレームのフレーム時間のシミュレーション結果を示す図である。
【図４】物理層フレームのフレーム時間のシミュレーション結果を示す図である。
【図５】L1基本情報とL1詳細情報を説明する図である。
【図６】L1基本情報のシンタックスの例を示す図である。
【図７】L1詳細情報のシンタックスの例を示す図である。
【図８】L1詳細情報のシンタックスの例を示す図である。
【図９】MPEG2-TS方式との精度の比較を示した図である。
【図１０】L1B＋L1D伝送方式のL1基本情報のシンタックスの例を示す図である。
【図１１】L1B＋L1D伝送方式のL1詳細情報のシンタックスの例を示す図である。
【図１２】L1B伝送方式ａのL1基本情報のシンタックスの例を示す図である。
【図１３】L1B伝送方式ａのL1詳細情報のシンタックスの例を示す図である。
【図１４】L1B伝送方式ｂのL1基本情報のシンタックスの例を示す図である。
【図１５】L1B伝送方式ｂのL1詳細情報のシンタックスの例を示す図である。
【図１６】L1D伝送方式のL1基本情報のシンタックスの例を示す図である。
【図１７】L1D伝送方式のL1詳細情報のシンタックスの例を示す図である。
【図１８】送信側の送信装置と受信側の受信装置の構成例を示す図である。
【図１９】送信側の波形処理部の構成例を示す図である。
【図２０】送信側データ処理の流れを説明するフローチャートである。
【図２１】受信側の波形処理部の構成例を示す図である。
【図２２】受信側データ処理の流れを説明するフローチャートである。
【図２３】コンピュータの構成例を示す図である。
【発明を実施するための形態】
【００１５】
以下、図面を参照しながら本技術の実施の形態について説明する。なお、説明は以下の順序で行うものとする。
【００１６】
１．システムの構成
２．フレームモードの概要
３．時刻情報の伝送方式
（１）L1B＋L1D伝送方式
（２ａ）L1B伝送方式ａ
（２ｂ）L1B伝送方式ｂ
（３）L1D伝送方式
４．送信側と受信側の詳細な構成
５．変形例
６．コンピュータの構成
【００１７】
＜１．システムの構成＞
【００１８】
（伝送システムの構成例）
図１は、本技術を適用した伝送システムの一実施の形態の構成を示す図である。なお、システムとは、複数の装置が論理的に集合したものをいう。
【００１９】
図１において、伝送システム１は、送信装置１０と受信装置２０から構成される。この伝送システム１では、ATSC3.0等の放送方式（デジタル放送の規格）に準拠したデータ伝送が行われる。
【００２０】
送信装置１０は、ATSC3.0等の放送方式に対応した送信機であって、伝送路３０を介してコンテンツを送信する。例えば、送信装置１０は、放送番組等のコンテンツを構成する映像や音声等（のコンポーネント）とシグナリングを含む放送ストリームを、放送波として、伝送路３０を介して送信する。
【００２１】
受信装置２０は、ATSC3.0等の放送方式に対応した受信機であって、送信装置１０から伝送路３０を介して送信されてくる、コンテンツを受信して出力する。例えば、受信装置２０は、送信装置１０からの放送波を受信して、放送ストリームに含まれる、コンテンツを構成する映像や音声等（のコンポーネント）とシグナリングを処理し、放送番組等のコンテンツの映像や音声を再生する。
【００２２】
なお、伝送システム１において、伝送路３０は、地上波（地上波放送）のほか、例えば、放送衛星（BS：Broadcasting Satellite）や通信衛星（CS：Communications Satellite）を利用した衛星放送、あるいは、ケーブルを用いた有線放送（CATV）などであってもよい。
【００２３】
＜２．フレームモードの概要＞
【００２４】
（物理層フレームの構造）
図２は、ATSC3.0等の放送方式に準拠したデータ伝送で用いられる物理層フレームの構造を示す図である。
【００２５】
図２において、物理層フレームは、ブートストラップ（Bootstrap）、プリアンブル（Preamble）、及び、ペイロード（Payload）から構成される。物理層フレームは、ミリ秒単位などの所定のフレーム長で構成される。物理層フレームにおいては、ブートストラップとプリアンブルを取得した後に、その後のペイロードを取得することが可能となる。
【００２６】
なお、ブートストラップは、例えば、DVB-T2(Digital Video Broadcasting - Second Generation Terrestrial)のT2フレームを構成するP1シンボルに対応し、プリアンブルは、例えば、DVB-T2のT2フレームを構成するP2シンボルに対応している。したがって、ブートストラップは、プリアンブルであると言うこともできる。
【００２７】
ところで、ATSC3.0では、物理層フレームのフレーム長に応じたフレームモードとして、タイムアラインモード（time-aligned mode）と、シンボルアラインモード（symbol-aligned mode）が規定されている。
【００２８】
タイムアラインモードは、ガードインターバル（GI：Guard Interval）部分に余分なサンプルを挿入することで、物理層フレームのフレーム長（フレーム時間）を、必ず整数のミリ秒単位に合わせてから送信するモードである。
【００２９】
例えば、同じRFチャンネル内で、放送（例えばATSC3.0に準拠したデータ伝送）と、通信（例えば、LTE(Long Term Evolution)に準拠したデータ伝送）を共存させる場合に、物理層フレームのフレーム長（フレーム時間）が、整数のミリ秒単位であると、時間の区切りが一致するために都合がよい。ただし、タイムアラインモードでは、余分なサンプル（無意味なデータ）を送信することになるため、データ伝送の効率は悪くなる。
【００３０】
シンボルアラインモードは、余分なサンプルを挿入せずに、そのまま送信するモードである。シンボルアラインモードでは、余分なサンプルを送信しないため、効率的なデータ伝送を行うことができる。例えば、DVB-T(Digital Video Broadcasting - Terrestrial)，DVB-T2，ISDB-T(Integrated Services Digital Broadcasting - Terrestrial)では、このシンボルアラインモードと同様のデータ伝送が行われている。
【００３１】
しかしながら、シンボルアラインモードでは、時間の区切りを一致させるためのサンプルを挿入していないため、物理層フレームの中には、そのフレーム長（フレーム時間）が、整数のミリ秒単位となる（ミリ秒の境界に沿っている）物理層フレームだけでなく、整数のミリ秒単位とはならない（ミリ秒の境界に沿っていない）物理層フレームも存在することになる。
【００３２】
ここで、図３及び図４を参照して、シンボルアラインモードが設定された場合の物理層フレームのフレーム時間のシミュレーション結果について説明する。
【００３３】
図３は、FFTモードが8Kモードで、かつ、ガードインターバル（GI）が、1024となる場合において、１つの物理層フレームに含まれるOFDMシンボルの数を変更したときの物理層フレームのフレーム時間のシミュレーション結果を示している。なお、図３においては、濃淡により、フレーム時間が、整数のミリ秒単位となっているかどうかを表している。
【００３４】
図３において、例えば、OFDMシンボル数が10，すなわち、１つの物理層フレームに含まれるOFDMシンボル数が10である場合に注目すれば、OFDMとGIのシンボル時間は1.33msとなるので、トータルのOFDM時間は、13.33ms（= 1.33ms×10）となる。また、この例では、ブートストラップの時間は2.00msとなるので、フレーム長は、15.33ms（= 13.33ms＋2.00ms）となる。
【００３５】
このOFDMシンボル数が10の場合、１つ目の物理層フレームのフレーム時間は、15.333msとなり、２つ目の物理層フレームのフレーム時間は、30.667msとなる。また、３つ目の物理層フレームのフレーム時間は、46.000ms（30.667ms＋15.33ms）となり、４つ目の物理層フレームのフレーム時間は、61.333ms（46.000ms＋15.33ms）となる。
【００３６】
同様に、５つ目以降の物理層フレームにおいても、時間的に１つ前の物理層フレームのフレーム時間に、15.33msを加算した時間を、対象の物理層フレームのフレーム時間として求めることができる。具体的には、５つ目乃至２５個目の物理層フレームのフレーム時間としては、76.667ms，92.000ms，107.333ms，122.667ms，138.000ms，153.333ms，168.667ms，184.000ms，199.333ms，214.667ms，230.000ms，245.333ms，260.667ms，276.000ms，291.333ms，306.667ms，322.000ms，337.333ms，352.667ms，368.000ms，383.333msが求められる。
【００３７】
このように、OFDMシンボル数が10の場合、46.000ms，92.000ms，138.000ms，184.000ms，230.000ms，276.000ms，322.000ms，368.000msのように、一定の間隔で、物理層フレームのフレーム時間が、整数のミリ秒単位となってはいるが、整数のミリ秒単位とはならないフレーム時間も存在している。
【００３８】
一方で、図３において、例えば、OFDMシンボル数が12，すなわち、１つの物理層フレームに含まれるOFDMシンボル数が12である場合に注目すれば、OFDMとGIのシンボル時間は1.33msとなるので、トータルのOFDM時間は、16.00msとなる。また、ブートストラップの時間は2.00msとなるので、フレーム長は、18.00ms（= 16.00ms＋2.00ms）となる。
【００３９】
このOFDMシンボル数が12の場合、１つ目の物理層フレームのフレーム時間は、18.000msとなり、２つ目の物理層フレームのフレーム時間は、36.000ms（18.00ms＋18.00ms）となる。また、３つ目の物理層フレームのフレーム時間は、54.000ms（36.000ms＋18.00ms）となり、４つ目の物理層フレームのフレーム時間は、72.000ms（54.000ms＋18.00ms）となる。
【００４０】
同様に、５つ目以降の物理層フレームにおいても、１つ前の物理層フレームのフレーム時間に、18.00msを加算した時間を、対象の物理層フレームのフレーム時間として求めることができる。具体的には、５つ目乃至２５個目の物理層フレームのフレーム時間としては、90.000ms，108.000ms，126.000ms，144.000ms，162.000ms，180.000ms，198.000ms，216.000ms，234.000ms，252.000ms，270.000ms，288.000ms，306.000ms，324.000ms，342.000ms，360.000ms，378.000ms，396.000ms，414.000ms，432.000ms，450.000msが求められる。
【００４１】
このように、OFDMシンボル数が12の場合、18.000ms，36.000ms，・・・，432.000ms，450.000msのように、全ての物理層フレームのフレーム時間が、整数のミリ秒単位になっている。
【００４２】
すなわち、図３のシミュレーション結果においては、OFDMシンボル数が10，11，13，14，16，17，19，20となる場合、物理層フレームのフレーム時間が、２つ置きに、整数のミリ秒単位になるが、それ以外のフレーム時間は、整数のミリ秒単位にはならない。一方で、OFDMシンボル数が、12，15，18，21となる場合、全ての物理層フレームのフレーム時間が、整数のミリ秒単位になる。
【００４３】
また、図４は、FFTモードが、8Kモードで、かつ、ガードインターバル（GI）が、768となる場合において、１つの物理層フレームに含まれるOFDMシンボルの数を変更したときの物理層フレームのフレーム時間のシミュレーション結果を示している。なお、図４においても、濃淡により、フレーム時間が、整数のミリ秒単位となっているかどうかを表している。
【００４４】
図４のシミュレーション結果では、OFDMシンボル数が15，21，24，30となる場合、物理層フレームのフレーム時間が、８つ置きに、整数のミリ秒単位となるが、それ以外のフレーム時間は、整数のミリ秒単位とはならない。また、OFDMシンボル数が16，17，19，20，22，23，25，26，28，29となる場合、全ての物理層フレームのフレーム時間が、整数のミリ秒単位とはならない。一方で、OFDMシンボル数が27となる場合には、全ての物理層フレームのフレーム時間が、整数のミリ秒単位になっている。
【００４５】
以上のように、シンボルアラインモードでは、時間の区切りを一致させるためのサンプルを挿入していないため、FFTモードやOFDMシンボル数、ガードインターバル（GI）、シンボル時間などの組み合わせに応じて、物理層フレームのフレーム時間が、整数のミリ秒単位になるかどうかが決定される。例えば、図３のシミュレーション結果では、ある程度の割合で、フレーム時間が整数のミリ秒単位となっているが、図４のシミュレーション結果では、フレーム時間が整数のミリ秒単位となっているものが少なくなっている。
【００４６】
ここで、現状のATSC3.0では、タイムアラインモードによるデータ伝送の際に、フレーム長がミリ秒の整数倍であるため、シグナリングにより伝送される時刻情報は、ミリ秒の精度で伝送することが想定されている。一方で、シンボルアラインモードが設定された場合でも、フレーム時間が整数のミリ秒単位になる物理層フレームでは、時刻情報が示す時刻との誤差が生じないために問題とはならないが、フレーム時間が整数のミリ秒単位にならない物理層フレームでは、時刻情報が示す時刻との誤差（ジッタ）が生じることになる。
【００４７】
そのため、現状では、シンボルアラインモードが設定された場合には、誤差が生じない物理層フレームと、誤差が生じる物理層フレームとが存在するため、誤差が生じない物理層フレームでしか、シグナリングに時刻情報を含めることができないことになる。このように、誤差の生じない特定の物理層フレームでのみ、時刻情報を伝送するということは、運用や実装などの自由度が狭められることになるため、放送事業者にとっては望ましくない。一方で、誤差の生じない特定の物理層フレーム以外の物理層フレームで時刻情報を伝送した場合には、誤差（丸め誤差）が生じてしまい、処理を行う上で望ましくない。
【００４８】
本技術では、このような問題を解決するために、シグナリングにより伝送される時刻情報の精度が、現状のミリ秒の精度よりも高い精度となるようにすることで、フレームモードとして、シンボルアラインモードが設定された場合であっても、全ての物理層フレームにおいて、時刻情報が示す時刻と、フレーム時間との誤差が生じないようにする（誤差を低減することができるようにする）。
【００４９】
なお、シグナリングにより伝送される時刻情報は、物理層フレームのストリームにおける所定の位置の絶対的な時刻を表している。ストリームにおける所定の位置の時刻とは、所定の位置のビットが、送信装置１０で処理されている最中の所定のタイミングの時刻である。ここで、時刻情報が時刻を表す物理層フレームのストリームにおける所定の位置を、時刻位置ということとする。
【００５０】
時刻位置としては、例えば、時刻情報が含まれるプリアンブルを有する物理層フレームの先頭の位置（ブートストラップの先頭の位置）を採用することができる。また、時刻位置としては、例えば、時刻情報が含まれるプリアンブルを有する物理層フレームのブートストラップとプリアンブルとの境界の位置（ブートストラップの最後の位置、あるいはプリアンブルの先頭の位置）を採用することができる。
【００５１】
さらに、時刻位置としては、例えば、時刻情報が含まれるプリアンブルを有する物理層フレームのプリアンブルの最後の位置を採用することができる。なお、その他、時刻位置としては、物理層フレームの任意の位置を採用することができる。
【００５２】
＜３．時刻情報の伝送方式＞
【００５３】
（L1基本情報とL1詳細情報の概要）
図５は、L1基本情報とL1詳細情報の概要を説明する図である。
【００５４】
図５において、物理層フレームのプリアンブル（Preamble）に含まれるシグナリングとしては、L1基本情報（L1-Basic）と、L1詳細情報（L1-Detail）がある。
【００５５】
ここで、L1基本情報とL1詳細情報とを比較すれば、L1基本情報は、200ビット程度のビットから構成されるが、L1詳細情報は、400〜数千ビットから構成される点でそのサイズが異なっている。また、図中の矢印で示すように、プリアンブルでは、L1基本情報とL1詳細情報がその順に読み出されるため、L1詳細情報よりもL1基本情報のほうが先に読み出される。さらに、L1基本情報は、L1詳細情報と比べて、よりロバストに伝送される点でも異なっている。
【００５６】
（L1基本情報）
図６は、図５のL1基本情報（L1-Basic）のシンタックスの例を示す図である。なお、L1基本情報については、上述した非特許文献１の「Table 9.2 L1-Basic signaling fields and syntax」にその詳細な内容が記載されている。
【００５７】
2ビットのL1B_content_tagは、コンテンツを識別するタグ値を表している。3ビットのL1B_versionは、L1基本情報のバージョンを表している。1ビットのL1B_slt_flagは、SLT(Service Labeling Table)が存在するかどうかを表している。
【００５８】
1ビットのL1B_time_info_flagは、時刻情報が存在するかどうかを表している。2ビットのL1B_paprは、PAPR(Peak to Average Power Reduction)の適用を表している。
【００５９】
1ビットのL1B_frame_length_modeは、フレームモードを表している。L1B_frame_length_mode = 0 の場合、フレームモードは、タイムアラインモードとなる。また、L1B_frame_length_mode = 1 の場合、フレームモードは、シンボルアラインモードとなる。
【００６０】
10ビットのL1B_frame_lengthは、物理層フレームのフレーム長を表している。ただし、このL1B_frame_lengthは、フレームモードが、タイムアラインモードとなる場合にのみ使用され、シンボルアラインモードとなる場合には、未使用とされる。
【００６１】
8ビットのL1B_num_subframesは、物理層フレームに含まれるサブフレームの数を表している。3ビットのL1B_preamble_num_symbolsは、プリアンブルに含まれるOFDMシンボルの数を表している。3ビットのL1B_preamble_reduced_carriersは、プリアンブルで使用されるFFTサイズのキャリアの最大数の減少に応じた制御ユニットの数を表している。
【００６２】
16ビットのL1B_L1_Detail_size_bitsは、L1詳細情報（L1-Detail）のサイズを表している。3ビットのL1B_L1_Detail_fec_typeは、L1詳細情報のFECタイプを表している。2ビットのL1B_L1_Detail_additional_parity_modeは、L1詳細情報の追加パリティモードを表している。19ビットのL1B_L1_Detail_total_cellsは、L1詳細情報のトータルサイズを表している。
【００６３】
1ビットのL1B_First_Sub_mimoは、先頭のサブフレームのMIMO(Multiple Input and Multiple Output)の使用状況を表している。1ビットのL1B_First_Sub_misoは、先頭のサブフレームのMISO(Multiple Input and Single Output)の使用状況を表している。
【００６４】
2ビットのL1B_First_Sub_fft_sizeは、先頭のサブフレームのFFTサイズを表している。3ビットのL1B_First_Sub_reduced_carriersは、先頭のサブフレームで使用されるFFTサイズのキャリアの最大数の減少に応じた制御ユニットの数を表している。4ビットのL1B_First_Sub_guard_intervalは、先頭のサブフレームのガードインターバル長を表している。
【００６５】
13ビットのL1B_First_Sub_excess_samplesは、先頭のサブフレームにおいて、ガードインターバル部分に挿入される余分なサンプルの数を表している。ただし、このL1B_First_Sub_excess_samplesは、フレームモードが、タイムアラインモードとなる場合にのみ使用され、シンボルアラインモードとなる場合には、未使用とされる。
【００６６】
11ビットのL1B_First_Sub_num_ofdm_symbolsは、先頭のサブフレームに含まれるOFDMシンボルの数を表している。5ビットのL1B_First_Sub_scattered_pilot_patternは、先頭のサブフレームで使用されているSPパターン（Scattered Pilot Pattern）を表している。3ビットのL1B_First_Sub_scattered_pilot_boostは、SPパターンの大きさを高める値を表している。
【００６７】
1ビットのL1B_First_Sub_sbs_firstは、先頭のサブフレームのSBS(Subframe Boundary Symbol)の先頭を表している。1ビットのL1B_First_Sub_sbs_lastは、先頭のサブフレームのSBSの末尾を表している。
【００６８】
L1B_Reservedは、リザーブド領域（Reserved）である。L1B_Reservedのビット数は、未確定（TBD：To Be Determined）であるが、現状では、49ビットとされている。32ビットのL1B_crcは、CRC(Cyclic Redundancy Check)値が含まれることを表している。
【００６９】
なお、フォーマット（Format）として、uimsbf(unsigned integer most significant bit first)が指定された場合、ビット演算をして、整数として扱われることを意味している。また、bslbf(bit string, left bit first)が指定された場合には、ビット列として扱われることを意味する。
【００７０】
（L1詳細情報）
図７は、図５のL1詳細情報（L1-Detail）のシンタックスの例を示す図である。ただし、図７のシンタックスには、L1詳細情報のうち、特に本技術に関係する部分を抜粋して記述している。なお、L1詳細情報については、上述した非特許文献１の「Table 9.12 L1-Detail signaling fields and syntax」にその詳細な内容が記載されている。
【００７１】
4ビットのL1D_versionは、L1詳細情報のバージョンを表している。
【００７２】
3ビットのL1D_num_rfに応じたループには、チャネルボンディング（Channel Bonding）に関するパラメータが配置される。すなわち、19ビットのL1D_rf_frequencyは、チャネルボンディングにより結合されるRFチャネルの周波数を表している。
【００７３】
ここで、図７のL1基本情報において、L1B_time_info_flag = 1 となる場合、時刻情報が存在していることを示しているので、L1詳細情報には、時刻情報としてのL1D_time_infoが配置される。なお、L1D_time_infoのビット数は、未確定（TBD）とされる。
【００７４】
ただし、上述したように、現状のATSC3.0では、シグナリングにより伝送される時刻情報は、ミリ秒の精度で伝送することが想定されているため、図８に示すように、L1D_time_infoとしては、32ビットのL1D_time_secと、10ビットのL1D_time_msecが配置されることが想定される。なお、L1D_time_secは、秒単位の時刻情報を表している。また、L1D_time_msecは、ミリ秒単位の時刻情報を表している。
【００７５】
これに対して、本技術では、現状のミリ秒単位の精度よりも高い精度の時刻情報として、秒単位（sec）とミリ秒単位（msec）の時刻情報に加えて、マイクロ秒単位（usec）とナノ秒単位（nsec）の時刻情報が伝送されるようにする。
【００７６】
なお、秒以下の精度に対応するフィールドとしては、例えば、10ビットのミリ秒単位の時刻情報のみならず、10ビットのマイクロ秒単位の時刻情報、又は、20ビットのマイクロ秒単位とナノ秒単位の時刻情報を伝送することができるが、図１の伝送システム１で放送によるサービスを行う場合に、その放送に必要以上の精度の時刻情報を伝送することは、伝送帯域を圧迫するなどの影響があるため、効果的ではない。
【００７７】
そのため、例えば、時刻情報として、IEEE 1588-2008で規定されているPTP(Precision Time Protocol)を利用することを想定すれば、PTPは、秒フィールとナノ秒フィールドから構成され、ナノ秒単位の精度に対応することが可能となるので、ナノ秒精度よりも高い精度の時刻情報、すなわち、秒単位とマイクロ秒単位の時刻情報のほかに、30ビットを超えるような時刻情報は伝送しないようにするものとする。ただし、10ビットのマイクロ秒単位の時刻情報や、20ビットのマイクロ秒単位とナノ秒単位の時刻情報などは、一例であって、他のビット精度を採用するようにしてもよい。
【００７８】
また、従来のMPEG2-TS方式においては、クロックの精度が規格で定められているが（例えば、27MHz，30ppm）、フレームモードがシンボルアラインモードとなる場合における、シグナリングの時刻情報が示す時刻とフレーム時間との誤差（丸め誤差）を、MPEG2-TS方式の精度とを比較すれば、図９に示すようになる。すなわち、図９の表から、ミリ秒単位の時刻情報では、その精度が、MPEG2-TS方式の精度よりも劣化しているが、マイクロ秒単位とナノ秒単位の時刻情報では、MPEG2-TS方式の精度よりもかなり精度が向上していることは明らかである。
【００７９】
したがって、MPEG2-TS方式との精度の比較によっても、シグナリングで、10ビットのマイクロ秒単位の時刻情報や、20ビットのマイクロ秒単位とナノ秒単位の時刻情報を伝送することが有効であることが実証されている。ただし、図９の誤差（丸め誤差）であるが、上述したように、フレームモードが、タイムアラインモードの場合には、誤差は生じないし、さらに、シンボルアラインモードとなる場合でも、フレーム時間が、整数のミリ秒単位となる物理層フレームでは、誤差は生じない。
【００８０】
そして、本技術においては、これらの時刻情報は、シグナリングとしてのL1基本情報とL1詳細情報に含まれるようにする。また、これらの時刻情報は、L1基本情報及びL1詳細情報の少なくとも一方の情報に含まれていればよく、以下、L1基本情報とL1詳細情報の両方で時刻情報を伝送するL1B＋L1D伝送方式と、L1基本情報のみで時刻情報を伝送するL1B伝送方式ａ又はL1B伝送方式ｂと、L1詳細情報のみで時刻情報を伝送するL1D伝送方式の４つの伝送方式について説明する。
【００８１】
（１）L1B＋L1D伝送方式
【００８２】
まず、図１０及び図１１のシンタックスを参照して、L1B＋L1D伝送方式について説明する。
【００８３】
（L1基本情報のシンタックス）
図１０は、L1B＋L1D伝送方式のL1基本情報のシンタックスの例を示す図である。ただし、図１０のシンタックスでは、特徴的な部分のみを抜粋して記述している。
【００８４】
図１０のL1基本情報においては、フレームモードがタイムアラインモード（L1B_frame_length_mode = 0）となる場合に、10ビットのL1B_frame_lengthが配置される一方で、フレームモードがシンボルアラインモード（L1B_frame_length_mode = 1）となる場合には、10ビットのL1B_time_usecが配置されるようにする。
【００８５】
また、図１０のL1基本情報においては、フレームモードがタイムアラインモード（L1B_frame_length_mode = 0）となる場合に、13ビットのL1B_First_Sub_excess_samplesが配置される一方で、フレームモードがシンボルアラインモード（L1B_frame_length_mode = 1）となる場合には、10ビットのL1B_time_nsecが配置されるようにする。ただし、10ビットのL1B_time_nsecが配置される場合、それに続く3ビットは、リザーブド領域（Reserved）とされる。
【００８６】
このように、L1B＋L1D伝送方式のL1基本情報では、フレームモードがシンボルアラインモードとなる場合に、マイクロ秒単位の時刻情報（L1B_time_usec）と、ナノ秒単位の時刻情報（L1B_time_nsec）が含まれることになる。
【００８７】
（L1詳細情報のシンタックス）
図１１は、L1B＋L1D伝送方式のL1詳細情報のシンタックスの例を示す図である。ただし、図１１のシンタックスでは、特徴的な部分のみを抜粋して記述している。
【００８８】
図１１のL1詳細情報においては、時刻情報が存在（L1B_time_info_flag = 1）する場合に、32ビットのL1D_time_secと、10ビットのL1D_time_msecが配置される。
【００８９】
このように、L1B＋L1D伝送方式のL1詳細情報では、時刻情報が存在する場合に、秒単位の時刻情報（L1D_time_sec）と、ミリ秒単位の時刻情報（L1D_time_msec）が含まれることになる。
【００９０】
以上のように、L1B＋L1D伝送方式を採用した場合には、L1基本情報とL1詳細情報によって、秒単位の時刻情報（L1D_time_sec）、ミリ秒単位の時刻情報（L1D_time_msec）、マイクロ秒単位の時刻情報（L1B_time_usec）、及び、ナノ秒単位の時刻情報（L1B_time_nsec）が伝送される。そして、これらの時刻情報から得られる時刻は、ナノ秒単位の精度を有しているため、フレームモードがシンボルアラインモードとなる場合に、フレーム長（フレーム時間）が整数のミリ秒単位にならない物理層フレームであっても、時刻情報が示す時刻との誤差（ジッタ）を抑制することができる。
【００９１】
また、L1B＋L1D伝送方式では、現状のL1詳細情報の構造をそのまま利用するとともに、現状のL1基本情報の構造に若干の修正を加えるだけで（シンボルアラインモード時に、不使用となるL1B_frame_lengthとL1B_First_Sub_excess_samplesを利用している）、実現できるため、修正のコストを軽減することができる。さらに、L1B＋L1D伝送方式では、現状のL1基本情報とL1詳細情報の構造を多く利用しているため、効率的でもある。
【００９２】
なお、図１０のL1基本情報では、シンボルアラインモード時に、マイクロ秒単位の時刻情報（L1B_time_usec）と、ナノ秒単位の時刻情報（L1B_time_nsec）が含まれる例を示したが、マイクロ秒単位の時刻情報（L1B_time_usec）のみが含まれるようにしてもよく、その場合であっても、ミリ秒単位よりも高い精度の時刻情報が伝送されることになる。
【００９３】
（２ａ）L1B伝送方式ａ
【００９４】
次に、図１２及び図１３のシンタックスを参照して、L1B伝送方式ａについて説明する。
【００９５】
（L1基本情報のシンタックス）
図１２は、L1B伝送方式ａのL1基本情報のシンタックスの例を示す図である。ただし、図１２のシンタックスでは、特徴的な部分のみを抜粋して記述している。
【００９６】
図１２のL1基本情報においては、時刻情報が存在（L1B_time_info_flag = 1）する場合に、32ビットのL1B_time_secと、10ビットのL1B_time_msecが配置される。
【００９７】
また、図１２のL1基本情報においては、フレームモードがタイムアラインモード（L1B_frame_length_mode = 0）となる場合に、10ビットのL1B_frame_lengthが配置される一方で、フレームモードがシンボルアラインモード（L1B_frame_length_mode = 1）となる場合には、10ビットのL1B_time_usecが配置されるようにする。
【００９８】
さらに、図１２のL1基本情報においては、フレームモードがタイムアラインモード（L1B_frame_length_mode = 0）となる場合に、13ビットのL1B_First_Sub_excess_samplesが配置される一方で、フレームモードがシンボルアラインモード（L1B_frame_length_mode = 1）となる場合には、10ビットのL1B_time_nsecと3ビットのReservedが配置されるようにする。
【００９９】
なお、L1B_Reservedは、7ビット又は49ビットとなっているが、時刻情報が存在する場合に、7ビットのリザーブド領域（Reserved）が確保され、時刻情報が存在しない場合には、49ビットのリザーブド領域（Reserved）が確保されることを意味する。
【０１００】
このように、L1B伝送方式ａのL1基本情報では、時刻情報が存在し、かつ、フレームモードがシンボルアラインモードとなる場合に、秒単位の時刻情報（L1B_time_sec）と、ミリ秒単位の時刻情報（L1B_time_msec）と、マイクロ秒単位の時刻情報（L1B_time_usec）と、ナノ秒単位の時刻情報（L1B_time_nsec）が含まれることになる。
【０１０１】
（L1詳細情報のシンタックス）
図１３は、L1B伝送方式ａのL1詳細情報のシンタックスの例を示す図である。ただし、図１３のシンタックスでは、特徴的な部分のみを抜粋して記述している。
【０１０２】
図１３のL1詳細情報においては、時刻情報がL1基本情報側に配置されるため、そこに、時刻情報（L1D_time_info）が配置されることはない。
【０１０３】
以上のように、L1B伝送方式ａを採用した場合には、L1基本情報のみによって、秒単位の時刻情報（L1B_time_sec）、ミリ秒単位の時刻情報（L1B_time_msec）、マイクロ秒単位の時刻情報（L1B_time_usec）、及び、ナノ秒単位の時刻情報（L1B_time_nsec）が伝送される。そして、これらの時刻情報から得られる時刻は、ナノ秒単位の精度を有しているため、フレームモードがシンボルアラインモードとなる場合に、フレーム長（フレーム時間）が整数のミリ秒単位にならない物理層フレームであっても、時刻情報が示す時刻との誤差（ジッタ）を抑制することができる。
【０１０４】
また、L1B伝送方式ａでは、時刻情報がロバストなL1基本情報でのみ伝送されるため、全ての時刻情報を十分に保護することができる。また、L1B伝送方式ａでは、全ての時刻情報をL1基本情報で伝送しているため、全ての時刻情報をL1基本情報側にまとめて一緒に伝送することが可能となる。これにより、例えば、受信装置２０では、より迅速に、L1基本情報に含まれる時刻情報を復号することが可能となる。
【０１０５】
なお、図１２のL1基本情報では、シンボルアラインモード時に、マイクロ秒単位の時刻情報（L1B_time_usec）と、ナノ秒単位の時刻情報（L1B_time_nsec）が含まれる例を示したが、マイクロ秒単位の時刻情報（L1B_time_usec）のみが含まれるようにしてもよく、その場合であっても、ミリ秒単位よりも高い精度の時刻情報が伝送されることになる。
【０１０６】
（２ｂ）L1B伝送方式ｂ
【０１０７】
次に、図１４及び図１５のシンタックスを参照して、L1B伝送方式ｂについて説明する。
【０１０８】
（L1基本情報のシンタックス）
図１４は、L1B伝送方式ｂのL1基本情報のシンタックスの例を示す図である。ただし、図１４のシンタックスでは、特徴的な部分のみを抜粋して記述している。
【０１０９】
図１４のL1基本情報においては、1ビットのL1B_time_info_flagが削除され、32ビットのL1B_time_secと、10ビットのL1B_time_msecが、常に配置される。
【０１１０】
また、図１４のL1基本情報においては、フレームモードがタイムアラインモード（L1B_frame_length_mode = 0）となる場合に、10ビットのL1B_frame_lengthが配置される一方で、フレームモードがシンボルアラインモード（L1B_frame_length_mode = 1）となる場合には、10ビットのL1B_time_usecが配置されるようにする。
【０１１１】
さらに、図１４のL1基本情報においては、フレームモードがタイムアラインモード（L1B_frame_length_mode = 0）となる場合に、13ビットのL1B_First_Sub_excess_samplesが配置される一方で、フレームモードがシンボルアラインモード（L1B_frame_length_mode = 1）となる場合には、10ビットのL1B_time_nsecと3ビットのReservedが配置されるようにする。
【０１１２】
このように、L1B伝送方式ｂのL1基本情報では、フレームモードがタイムアラインモードとなる場合に、秒単位の時刻情報（L1B_time_sec）と、ミリ秒単位の時刻情報（L1B_time_msec）が含まれ、フレームモードがシンボルアラインモードとなる場合には、秒単位とミリ単位の時刻情報に加えて、マイクロ秒単位の時刻情報（L1B_time_usec）と、ナノ秒単位の時刻情報（L1B_time_nsec）が含まれることになる。
【０１１３】
（L1詳細情報のシンタックス）
図１５は、L1B伝送方式ｂのL1詳細情報のシンタックスの例を示す図である。ただし、図１５のシンタックスでは、特徴的な部分のみを抜粋して記述している。
【０１１４】
図１５のL1詳細情報においては、時刻情報がL1基本情報側に配置されるため、そこに、時刻情報（L1D_time_info）が配置されることはない。
【０１１５】
以上のように、L1B伝送方式ｂを採用した場合には、L1基本情報のみによって、秒単位の時刻情報（L1B_time_sec）、ミリ秒単位の時刻情報（L1B_time_msec）、マイクロ秒単位の時刻情報（L1B_time_usec）、及び、ナノ秒単位の時刻情報（L1B_time_nsec）が伝送される。そして、これらの時刻情報から得られる時刻は、ナノ秒単位の精度を有しているため、フレームモードがシンボルアラインモードとなる場合に、フレーム長（フレーム時間）が整数のミリ秒単位にならない物理層フレームであっても、時刻情報が示す時刻との誤差（ジッタ）を抑制することができる。
【０１１６】
また、L1B伝送方式ｂでは、時刻情報がロバストなL1基本情報でのみ伝送されるため、全ての時刻情報を十分に保護することができる。また、L1B伝送方式ｂでは、全ての時刻情報をL1基本情報で伝送しているため、全ての時刻情報をL1基本情報側にまとめて一緒に伝送することが可能となる。そのため、例えば、受信装置２０では、より迅速に、L1基本情報に含まれる時刻情報を復号することが可能となる。さらに、L1B伝送方式ｂでは、タイムアラインモードやシンボルアラインモードのフレームモードに関係なく、常に時刻情報を伝送することが可能となる。
【０１１７】
なお、図１４のL1基本情報では、シンボルアラインモード時に、マイクロ秒単位の時刻情報（L1B_time_usec）と、ナノ秒単位の時刻情報（L1B_time_nsec）が含まれる例を示したが、マイクロ秒単位の時刻情報（L1B_time_usec）のみが含まれるようにしてもよく、その場合であっても、ミリ秒単位よりも高い精度の時刻情報が伝送されることになる。
【０１１８】
（３）L1D伝送方式
【０１１９】
最後に、図１６及び図１７のシンタックスを参照して、L1D伝送方式について説明する。
【０１２０】
（L1基本情報のシンタックス）
図１６は、L1D伝送方式のL1基本情報のシンタックスの例を示す図である。ただし、図１６のシンタックスでは、特徴的な部分のみを抜粋して記述している。
【０１２１】
図１６のL1基本情報においては、L1B_time_info_flagが、1ビットではなく、2ビット確保されている。例えば、L1B_time_info_flag = 01 の場合には、秒単位とミリ単位の時刻情報が配置されるものとする。例えば、L1B_time_info_flag = 10 の場合には、秒単位とミリ単位の時刻情報のほかに、マイクロ秒単位の時刻情報が配置されるものとする。また、例えば、L1B_time_info_flag = 11 の場合には、秒単位とミリ単位の時刻情報のほかに、マイクロ秒単位とナノ秒単位の時刻情報が配置されるものとする。
【０１２２】
なお、図１６のL1基本情報においては、時刻情報がL1詳細情報側に配置されるため、そこに、時刻情報が配置されることはない。また、図１６のL1基本情報においては、L1B_time_info_flagが2ビットになったため、L1B_Reservedは、48ビットとなる。
【０１２３】
（L1詳細情報のシンタックス）
図１７は、L1D伝送方式のL1詳細情報のシンタックスの例を示す図である。ただし、図１７のシンタックスでは、特徴的な部分のみを抜粋して記述している。
【０１２４】
図１７のL1詳細情報において、L1B_time_info_flag = 01 となる場合には、秒単位の時刻情報（L1D_time_sec）と、ミリ秒単位の時刻情報（L1D_time_msec）が配置される。
【０１２５】
また、図１７のL1詳細情報において、L1B_time_info_flag = 10 となる場合には、秒単位の時刻情報（L1D_time_sec）と、ミリ秒単位の時刻情報（L1D_time_msec）のほかに、マイクロ秒単位の時刻情報（L1D_time_usec）が配置される。
【０１２６】
また、図１７のL1詳細情報において、L1B_time_info_flag = 11 となる場合には、秒単位の時刻情報（L1D_time_sec）と、ミリ秒単位の時刻情報（L1D_time_msec）のほかに、マイクロ秒単位の時刻情報（L1D_time_usec）と、ナノ秒単位の時刻情報（L1D_time_nsec）が配置される。
【０１２７】
このように、L1D伝送方式のL1詳細情報では、L1B_time_info_flagの値に応じて、秒単位の時刻情報（L1D_time_sec）とミリ秒単位の時刻情報（L1D_time_msec）のほかに、マイクロ秒単位の時刻情報（L1D_time_usec）、又はマイクロ秒単位の時刻情報（L1D_time_usec）及びナノ秒単位の時刻情報（L1D_time_nsec）が含まれることになる。
【０１２８】
以上のように、L1D伝送方式を採用した場合には、L1詳細情報のみによって、秒単位の時刻情報（L1D_time_sec）、ミリ秒単位の時刻情報（L1D_time_msec）、マイクロ秒単位の時刻情報（L1D_time_usec）、又は、マイクロ秒単位の時刻情報（L1D_time_usec）、及び、ナノ秒単位の時刻情報（L1D_time_nsec）が伝送される。そして、これらの時刻情報から得られる時刻は、マイクロ秒単位又はナノ秒単位の精度を有しているため、フレームモードがシンボルアラインモードとなる場合に、フレーム長（フレーム時間）が整数のミリ秒単位にならない物理層フレームであっても、時刻情報が示す時刻との誤差（ジッタ）を抑制することができる。
【０１２９】
また、L1D伝送方式では、時刻情報がL1詳細情報でのみ伝送されるため、全ての時刻情報を同一のレベルで保護することができる。また、L1D伝送方式では、全ての時刻情報をL1詳細情報で伝送しているため、全ての時刻情報をL1詳細情報側にまとめて一緒に伝送することが可能となる。そのため、例えば、受信装置２０では、L1詳細情報に含まれる時刻情報（シンプルに構成された時刻情報）を容易に解析することが可能となる。
【０１３０】
なお、図１７のL1詳細情報では、L1B_time_info_flagの値に応じて、３種類の時刻情報が配置される例を示したが、秒単位の時刻情報（L1D_time_sec）、ミリ秒単位の時刻情報（L1D_time_msec）、及び、マイクロ秒単位の時刻情報（L1D_time_usec）だけが配置されるようにしてもよく、その場合であっても、ミリ秒単位よりも高い精度の時刻情報が伝送されることになる。
【０１３１】
以上、L1B＋L1D伝送方式、L1B伝送方式ａ、L1B伝送方式ｂ、及び、L1D伝送方式の４つの伝送方式について説明したが、具体的には、例えば、次に示すような時刻情報が伝送されることになる。すなわち、時刻情報が、二進化十進数（BCD：Binary Coded Decimal）により表現されることで、例えば、L1B＋L1D伝送方式において、ミリ秒単位の時刻情報（L1D_time_msec）と、マイクロ秒単位の時刻情報（L1B_time_usec）と、ナノ秒単位の時刻情報（L1B_time_nsec）を、"0.123456789ns"と表すことができる。
【０１３２】
この場合において、ミリ秒単位の時刻情報（L1D_time_msec）は、"123"（= 0x07c:00_0111_1011b）に相当し、マイクロ秒単位の時刻情報（L1B_time_usec）は、"456"（= 0x1c8:01_1100_1000b）に相当し、ナノ秒単位の時刻情報（L1B_time_nsec）は、"789"（= 0x315:11_0001_0101b）に相当している。すなわち、"123"であるミリ秒単位の時刻情報（L1D_time_msec）を伝送することに加えて、"456"であるマイクロ秒単位の時刻情報と、"789"であるナノ秒単位の時刻情報（L1B_time_nsec）も、必要に応じて伝送することになる。換言すれば、上述した"0.123456789ns"のうち、"456789ns"の部分が差分の時刻情報とされる。
【０１３３】
なお、上述した説明では、フレームモードがシンボルアラインモードとなる場合に、フレーム長（フレーム時間）が、整数のミリ秒単位にならない物理層フレーム（ミリ秒単位よりも高い精度を有する物理層フレーム）が伝送されることを前提に、シグナリング（L1基本情報、L1詳細情報）として、ミリ秒単位よりも高い精度の時刻情報を伝送する場合を説明した。ここでは、フレーム長が、整数のミリ秒単位よりも高い精度となる物理層フレームだけでなく、フレーム長が、整数のミリ秒単位となる物理層フレームが伝送される場合であっても、シグナリングとしてミリ秒単位よりも高い精度の時刻情報を伝送するようにしてもよい。
【０１３４】
すなわち、物理層フレームを発信（開始）するタイミングが、ミリ秒単位ではない場合（ミリ秒単位よりも高い精度となる場合）であって、フレーム長が、整数のミリ秒単位となる物理層フレームが伝送されるときには、フレーム時間が、整数のミリ秒単位にならない物理層フレームが存在することになるので、この場合には、ミリ秒単位よりも高い精度の時刻情報を伝送することで、時刻情報が示す時刻と、フレーム時間との誤差（ジッタ）を抑制することが可能となる。
【０１３５】
これにより、物理層フレームのフレーム長が整数のミリ秒単位であって、かつ、物理層フレームを発信するタイミングがミリ秒単位ではない場合でも、自由に、物理層フレームを伝送することができるため、実装をより容易にすることが可能となる。
【０１３６】
＜４．送信側と受信側の詳細な構成＞
【０１３７】
（送信装置と受信装置の構成例）
図１８は、送信側の送信装置１０と、受信側の受信装置２０の構成例を示す図である。
【０１３８】
図１８において、送信装置１０は、入力フォーマット処理部（Input Format）１０１、BICM(Bit Interleaved Coding and Modulation)処理部１０２、フレーム・インターリーブ処理部（Frame and Interleave）１０３、及び、波形処理部（Waveform）１０４から構成される。
【０１３９】
入力フォーマット処理部１０１は、入力される入力ストリームに対して、必要な処理を施し、それにより得られるデータを格納したパケットを、PLP(Physical Layer Pipe)に分配する処理を行う。入力フォーマット処理部１０１により処理されたデータは、BICM処理部１０２に出力される。
【０１４０】
BICM処理部１０２は、入力フォーマット処理部１０１から入力されるデータに対して、誤り訂正処理やビットインターリーブ、直交変調等の処理を行う。BICM処理部１０２により処理されたデータは、フレーム・インターリーブ処理部１０３に出力される。
【０１４１】
フレーム・インターリーブ処理部１０３は、BICM処理部１０２から入力されるデータに対して、時間方向や周波数方向のインターリーブなどの処理を行う。フレーム・インターリーブ処理部１０３により処理されたデータは、波形処理部１０４に出力される。
【０１４２】
波形処理部１０４は、フレーム・インターリーブ処理部１０３から入力されるデータに基づいて、OFDM(Orthogonal Frequency Division Multiplexing)信号を生成し、伝送路３０を介して送信する。なお、波形処理部１０４の詳細な構成は、図１９を参照して後述する。
【０１４３】
また、図１８において、受信装置２０は、波形処理部（Waveform）２０１、フレーム・デインターリーブ処理部（Frame and De-Interleave）２０２、De-BICM処理部２０３、及び、出力フォーマット処理部（Output Format）２０４から構成される。
【０１４４】
波形処理部２０１は、送信装置１０から伝送路３０を介して送信される、OFDM信号を受信して、OFDM信号に対する信号処理を行う。波形処理部２０１により処理されたデータは、フレーム・デインターリーブ処理部２０２に出力される。なお、波形処理部２０１の詳細な構成は、図２１を参照して後述する。
【０１４５】
フレーム・デインターリーブ処理部２０２は、波形処理部２０１から入力されるデータに対して、周波数方向や時間方向のデインターリーブなどの処理を行う。フレーム・デインターリーブ処理部２０２により処理されたデータは、De-BICM処理部２０３に出力される。
【０１４６】
De-BICM処理部２０３は、フレーム・デインターリーブ処理部２０２から入力されるデータに対して、直交復調、ビットデインターリーブや誤り訂正処理等の処理を行う。De-BICM処理部２０３により処理されたデータは、出力フォーマット処理部２０４に出力される。
【０１４７】
出力フォーマット処理部２０４は、De-BICM処理部２０３から入力されるデータに対して、必要な処理を施し、それにより得られる出力ストリームを出力する。
【０１４８】
（送信側の波形処理部の構成例）
図１９は、図１８の送信装置１０の波形処理部１０４の構成例を示す図である。
【０１４９】
図１９において、波形処理部１０４は、データ処理部（Data）１３１、プリアンブル処理部（Preamble）１３２、及び、ブートストラップ処理部（Bootstrap）１３３を含んで構成される。
【０１５０】
データ処理部１３１は、物理層フレームのペイロード（Payload）に含まれるデータに関する処理を行う。
【０１５１】
プリアンブル処理部１３２は、物理層フレームのプリアンブル（Preamble）に含まれるシグナリングに関する処理を行う。このシグナリングには、L1基本情報（L1-Basic）と、L1詳細情報（L1-Detail）が含まれる。
【０１５２】
ここで、L1B＋L1D伝送方式を採用した場合、プリアンブル処理部１３２は、マイクロ秒単位とナノ秒単位の時刻情報（L1B_time_usec，L1B_time_nsec）を含むL1基本情報（図１０）と、秒単位とミリ秒単位の時刻情報（L1D_time_sec，L1D_time_msec）を含むL1詳細情報（図１１）を生成し、シグナリングとして物理層フレームに含める。
【０１５３】
また、L1B伝送方式ａ又はL1B伝送方式ｂを採用した場合、プリアンブル処理部１３２は、秒単位、ミリ秒単位、マイクロ秒単位、及び、ナノ秒単位の時刻情報（L1B_time_sec，L1B_time_msec，L1B_time_usec，L1B_time_nsec）を含むL1基本情報（図１２又は図１４）を生成し、シグナリングとして物理層フレームに含める。ただし、この場合、L1詳細情報（図１３又は図１５）には、時刻情報は含まれないことになる。
【０１５４】
また、L1D伝送方式を採用した場合、プリアンブル処理部１３２は、秒単位、ミリ秒単位、マイクロ秒単位、及び、ナノ秒単位の時刻情報（L1D_time_sec，L1D_time_msec，L1D_time_usec，L1D_time_nsec）を含むL1詳細情報（図１７）を生成し、シグナリングとして物理層フレームに含める。ただし、この場合、L1基本情報（図１６）には、時刻情報は含まれないことになる。
【０１５５】
ブートストラップ処理部１３３は、物理層フレームのブートストラップ（Bootstrap）に含まれるデータやシグナリングに関する処理を行う。
【０１５６】
なお、図１９には図示していないが、波形処理部１０４においては、パイロット(PILOTS)のシンボルを挿入する処理、MISOに関する処理、IFFT(Inverse Fast Fourier Transform)に関する処理、PAPRに関する処理、及び、ガードインターバルに関する処理を行う処理部が設けられ、それらの処理が行われる。
【０１５７】
（送信側データ処理）
次に、図２０のフローチャートを参照して、図１８の送信装置１０により実行される送信側データ処理の流れについて説明する。
【０１５８】
ステップＳ１０１において、入力フォーマット処理部１０１は、入力データ処理を行う。この入力データ処理では、入力されるインプットストリームに対して、必要な処理が施され、それにより得られるデータを格納したパケットが、１又は複数のPLPに分配される。
【０１５９】
ステップＳ１０２において、BICM処理部１０２は、符号化・変調処理を行う。この符号化・変調処理では、誤り訂正処理やビットインターリーブ、直交変調等の処理が行われる。
【０１６０】
ステップＳ１０３において、フレーム・インターリーブ処理部１０３は、フレーム・インターリーブ処理を行う。このフレーム・インターリーブ処理では、時間方向や周波数方向のインターリーブ等の処理が行われる。
【０１６１】
ステップＳ１０４において、波形処理部１０４は、波形処理を行う。この波形処理では、OFDM信号が生成され、伝送路３０を介して送信される。また、データ処理部１３１、プリアンブル処理部１３２、及び、ブートストラップ処理部１３３によって、データやシグナリングが処理される。
【０１６２】
ここで、プリアンブル処理部１３２においては、L1B＋L1D伝送方式を採用した場合に、マイクロ秒単位とナノ秒単位の時刻情報（L1B_time_usec，L1B_time_nsec）を含むL1基本情報（図１０）と、秒単位とミリ秒単位の時刻情報（L1D_time_sec，L1D_time_msec）を含むL1詳細情報（図１１）が生成され、物理層フレームのプリアンブルに含められる。
【０１６３】
また、プリアンブル処理部１３２においては、L1B伝送方式ａ又はL1B伝送方式ｂを採用した場合に、秒単位、ミリ秒単位、マイクロ秒単位、及び、ナノ秒単位の時刻情報（L1B_time_sec，L1B_time_msec，L1B_time_usec，L1B_time_nsec）を含むL1基本情報（図１２又は図１４）が生成され、物理層フレームのプリアンブルに含められる。
【０１６４】
また、プリアンブル処理部１３２においては、L1D伝送方式を採用した場合に、秒単位、ミリ秒単位、マイクロ秒単位、及び、ナノ秒単位の時刻情報（L1D_time_sec，L1D_time_msec，L1D_time_usec，L1D_time_nsec）を含むL1詳細情報（図１７）が生成され、物理層フレームのプリアンブルに含められる。
【０１６５】
以上、送信側データ処理の流れについて説明した。この送信側データ処理では、L1B＋L1D伝送方式、L1B伝送方式ａ、L1B伝送方式ｂ、又はL1D伝送方式を採用することで、L1基本情報及びL1詳細情報の少なくとも一方の情報に、秒単位の時刻情報、ミリ秒単位の時刻情報、マイクロ秒単位の時刻情報、及び、ナノ秒単位の時刻情報が含まれるシグナリングが生成され、物理層フレームのプリアンブルに含められることになる。
【０１６６】
そして、これらの時刻情報から得られる時刻は、ミリ秒単位の精度よりも高い精度（マイクロ秒単位の精度又はナノ秒単位の精度）となるため、フレームモードがシンボルアラインモードとなる場合に、フレーム長（フレーム時間）が整数のミリ秒単位にならない物理層フレームであっても、時刻情報が示す時刻との誤差（ジッタ）を抑制することができる。
【０１６７】
よって、シグナリングで伝送される時刻情報の精度に起因する時刻の誤差を低減することができる。さらに、物理層フレームのフレーム長（フレーム時間）が整数のミリ秒単位になるかどうかを意識することなく（例えば、物理層フレームのフレーム番号などを意識することなく）、時刻情報をシグナリングに含めて伝送することが可能となる。
【０１６８】
また、シグナリングに、10ビットのマイクロ秒単位の時刻情報、及び、10ビットのナノ秒単位の時刻情報を追加すれば、PTPと同程度の精度を実現できるし、あるいは、10ビットのマイクロ秒単位の時刻情報のみを追加すれば、現状のシステム以上の精度で、かつ、十分な精度を実現することができる。なお、後者の場合、10ビットのマイクロ秒単位の時刻情報のみを追加で伝送するため、前者の両方の時刻情報を追加で伝送する場合と比べて、10ビット分の情報が削減されることとなり、伝送効率を向上させることができる。
【０１６９】
さらに、シグナリングとして、マイクロ秒単位やナノ秒単位の時刻情報を追加するだけで、十分な精度を実現できるため、送信側データ処理としては、既存の処理と比べて、複雑な処理を行う必要はない（データを扱いやすい）。また、シグナリングに追加される情報が、時刻情報そのものであるため、シグナリングに含まれる他のパラメータとの依存関係がなく、例えば、将来的に規格の拡張が行われるとしても、その影響を受ける可能性はほとんどない。
【０１７０】
（受信側の波形処理部の構成例）
図２１は、図１８の受信装置２０の波形処理部２０１の構成例を示す図である。
【０１７１】
図２１において、波形処理部２０１は、ブートストラップ処理部（Bootstrap）２３１、プリアンブル処理部（Preamble）２３２、及び、データ処理部（Data）２３３を含んで構成される。
【０１７２】
ブートストラップ処理部２３１は、物理層フレームのブートストラップ（Bootstrap）に含まれるデータやシグナリングに関する処理を行う。
【０１７３】
プリアンブル処理部２３２は、物理層フレームのプリアンブル（Preamble）に含まれるシグナリングに関する処理を行う。このシグナリングには、L1基本情報（L1-Basic）と、L1詳細情報（L1-Detail）が含まれる。
【０１７４】
ここで、L1B＋L1D伝送方式を採用した場合には、マイクロ秒単位とナノ秒単位の時刻情報（L1B_time_usec，L1B_time_nsec）を含むL1基本情報（図１０）と、秒単位とミリ秒単位の時刻情報（L1D_time_sec，L1D_time_msec）を含むL1詳細情報（図１１）が、シグナリングとして物理層フレームのプリアンブルに含まれているので、プリアンブル処理部２３２は、それらの時刻情報を処理する。
【０１７５】
また、L1B伝送方式ａ又はL1B伝送方式ｂを採用した場合には、秒単位、ミリ秒単位、マイクロ秒単位、及び、ナノ秒単位の時刻情報（L1B_time_sec，L1B_time_msec，L1B_time_usec，L1B_time_nsec）を含むL1基本情報（図１２又は図１４）が、シグナリングとして物理層フレームのプリアンブルに含まれているので、プリアンブル処理部２３２は、それらの時刻情報を処理する。ただし、この場合、L1詳細情報（図１３又は図１５）には、時刻情報は含まれないことになる。
【０１７６】
また、L1D伝送方式を採用した場合には、秒単位、ミリ秒単位、マイクロ秒単位、及び、ナノ秒単位の時刻情報（L1D_time_sec，L1D_time_msec，L1D_time_usec，L1D_time_nsec）を含むL1詳細情報（図１７）が、シグナリングとして物理層フレームのプリアンブルに含まれているので、プリアンブル処理部２３２は、それらの時刻情報を処理する。ただし、この場合、L1基本情報（図１６）には、時刻情報は含まれないことになる。
【０１７７】
データ処理部２３３は、物理層フレームのペイロード（Payload）に含まれるデータに関する処理を行う。
【０１７８】
なお、図２１には図示していないが、波形処理部２０１においては、ガードインターバルに関する処理、PAPRに関する処理、FFT(Fast Fourier Transform)に関する処理、MISOに関する処理、及び、パイロットのシンボルに関する処理を行う処理部が設けられ、それらの処理が行われる。
【０１７９】
（受信側データ処理）
次に、図２２のフローチャートを参照して、図１８の受信装置２０により実行される受信側データ処理の流れについて説明する。
【０１８０】
ステップＳ２０１において、波形処理部２０１は、波形処理を行う。この波形処理では、送信装置１０(図１８)から伝送路３０を介して送信される、OFDM信号が受信され、OFDM信号に対する信号処理が行われる。また、ブートストラップ処理部２３１、プリアンブル処理部２３２、及び、データ処理部２３３によって、データやシグナリングが処理される。
【０１８１】
ここで、L1B＋L1D伝送方式を採用した場合には、マイクロ秒単位とナノ秒単位の時刻情報（L1B_time_usec，L1B_time_nsec）を含むL1基本情報（図１０）と、秒単位とミリ秒単位の時刻情報（L1D_time_sec，L1D_time_msec）を含むL1詳細情報（図１１）が、シグナリングとして物理層フレームのプリアンブルに含まれているので、プリアンブル処理部２３２においては、それらの時刻情報が処理される。
【０１８２】
また、L1B伝送方式ａ又はL1B伝送方式ｂを採用した場合には、秒単位、ミリ秒単位、マイクロ秒単位、及び、ナノ秒単位の時刻情報（L1B_time_sec，L1B_time_msec，L1B_time_usec，L1B_time_nsec）を含むL1基本情報（図１２又は図１４）が、シグナリングとして物理層フレームのプリアンブルに含まれているので、プリアンブル処理部２３２においては、それらの時刻情報が処理される。
【０１８３】
また、L1D伝送方式を採用した場合には、秒単位、ミリ秒単位、マイクロ秒単位、及び、ナノ秒単位の時刻情報（L1D_time_sec，L1D_time_msec，L1D_time_usec，L1D_time_nsec）を含むL1詳細情報（図１７）が、シグナリングとして物理層フレームのプリアンブルに含まれているので、プリアンブル処理部２３２においては、それらの時刻情報が処理される。
【０１８４】
ステップＳ２０２において、フレーム・デインターリーブ処理部２０２は、フレーム・デインターリーブ処理を行う。このフレーム・デインターリーブ処理では、周波数方向や時間方向のデインターリーブ等の処理が行われる。
【０１８５】
ステップＳ２０３において、De-BICM処理部２０３は、復調・復号処理を行う。この復調・復号処理では、直交復調、ビットデインターリーブや誤り訂正処理等の処理が行われる。
【０１８６】
ステップＳ２０４において、出力フォーマット処理部２０４は、出力データ処理を行う。この出力データ処理では、入力されるデータに対して、必要な処理が施され、出力ストリームとして出力される。
【０１８７】
以上、受信側データ処理の流れについて説明した。この受信側データ処理では、L1B＋L1D伝送方式、L1B伝送方式ａ、L1B伝送方式ｂ、又はL1D伝送方式を採用することで、物理層フレームのプリアンブルから、秒単位の時刻情報、ミリ秒単位の時刻情報、マイクロ秒単位の時刻情報、及び、ナノ秒単位の時刻情報をL1基本情報及びL1詳細情報の少なくとも一方の情報に含むシグナリングが取得され、処理されることになる。
【０１８８】
そして、これらの時刻情報から得られる時刻は、ミリ秒単位の精度よりも高い精度（マイクロ秒単位の精度又はナノ秒単位の精度）となるため、フレームモードがシンボルアラインモードとなる場合に、フレーム長（フレーム時間）が整数のミリ秒単位にならない物理層フレームであっても、時刻情報が示す時刻との誤差（ジッタ）を抑制することができる。
【０１８９】
よって、シグナリングで伝送される時刻情報の精度に起因する時刻の誤差を低減することができる。さらに、物理層フレームのフレーム長（フレーム時間）が整数のミリ秒単位になるかどうかを意識することなく（例えば、物理層フレームのフレーム番号などを意識することなく）、シグナリングに含まれる時刻情報を処理することが可能となる。
【０１９０】
また、シグナリングに、10ビットのマイクロ秒単位の時刻情報、及び、10ビットのナノ秒単位の時刻情報を追加すれば、PTPと同程度の精度を実現できるし、あるいは、10ビットのマイクロ秒単位の時刻情報のみを追加すれば、現状のシステム以上の精度で、かつ、十分な精度を実現することができる。なお、後者の場合、10ビットのマイクロ秒単位の時刻情報のみを追加で伝送するため、前者の両方の時刻情報を追加で伝送する場合と比べて、10ビット分の情報が削減されることとなり、伝送効率を向上させることができる。
【０１９１】
さらに、シグナリングとして、マイクロ秒単位やナノ秒単位の時刻情報を追加するだけで、十分な精度を実現できるため、受信側データ処理としては、既存の処理と比べて、複雑な処理を行う必要はない（データを扱いやすい）。また、シグナリングに追加される情報が、時刻情報そのものであるため、シグナリングに含まれる他のパラメータとの依存関係がなく、例えば、将来的に規格の拡張が行われるとしても、その影響を受ける可能性はほとんどない。
【０１９２】
＜５．変形例＞
【０１９３】
上述した説明としては、デジタル放送の規格として、米国等で採用されている方式であるATSC（特に、ATSC3.0）を説明したが、本技術は、日本等が採用する方式であるISDB(Integrated Services Digital Broadcasting)や、欧州の各国等が採用する方式であるDVB(Digital Video Broadcasting)などに適用するようにしてもよい。また、上述した説明では、IP伝送方式が採用されるATSC3.0を例にして説明したが、IP伝送方式に限らず、例えば、MPEG2-TS(Transport Stream)方式等の他の方式に適用するようにしてもよい。
【０１９４】
また、デジタル放送としては、地上波放送のほか、放送衛星（BS：Broadcasting Satellite）や通信衛星（CS：Communications Satellite）等を利用した衛星放送や、ケーブルテレビ（CATV）等の有線放送などに適用することができる。
【０１９５】
また、上述した説明では、時刻情報として、PTP(Precise Time Protocol)で規定される時刻の情報を一例に説明したが、時刻情報としては、PTPに限らず、例えば、NTP(Network Time Protocol)で規定されている時刻の情報や、3GPP(Third Generation Partnership Project)で規定されている時刻の情報、GPS(Global Positioning System)情報に含まれる時刻の情報、その他独自に決定された形式の時刻の情報等の任意の時刻の情報を採用することができる。
【０１９６】
さらに、本技術は、伝送路として、放送網以外の伝送路、すなわち、例えば、インターネットや電話網等の通信回線（通信網）などを利用することを想定して規定されている所定の規格（デジタル放送の規格以外の規格）などにも適用することができる。その場合には、伝送システム１（図１）の伝送路３０として、インターネットや電話網などの通信回線が利用され、送信装置１０は、インターネット上に設けられたサーバとすることができる。そして、受信装置２０が通信機能を有するようにすることで、送信装置１０（サーバ）は、受信装置２０からの要求に応じて、処理を行うことになる。また、受信装置２０は、送信装置１０（サーバ）から伝送路３０（通信回線）を介して送信されてくるデータを処理する。
【０１９７】
また、上述したシグナリングなどの名称は、一例であって、他の名称が用いられる場合がある。ただし、これらの名称の違いは、形式的な違いであって、対象のシグナリングなどの実質的な内容が異なるものではない。
【０１９８】
＜６．コンピュータの構成＞
【０１９９】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図２３は、上述した一連の処理をプログラムにより実行するコンピュータのハードウェアの構成例を示す図である。
【０２００】
コンピュータ１０００において、CPU(Central Processing Unit)１００１、ROM(Read Only Memory)１００２、RAM(Random Access Memory)１００３は、バス１００４により相互に接続されている。バス１００４には、さらに、入出力インターフェース１００５が接続されている。入出力インターフェース１００５には、入力部１００６、出力部１００７、記録部１００８、通信部１００９、及び、ドライブ１０１０が接続されている。
【０２０１】
入力部１００６は、キーボード、マウス、マイクロフォンなどよりなる。出力部１００７は、ディスプレイ、スピーカなどよりなる。記録部１００８は、ハードディスクや不揮発性のメモリなどよりなる。通信部１００９は、ネットワークインターフェースなどよりなる。ドライブ１０１０は、磁気ディスク、光ディスク、光磁気ディスク、又は半導体メモリなどのリムーバブルメディア１０１１を駆動する。
【０２０２】
以上のように構成されるコンピュータ１０００では、CPU１００１が、ROM１００２や記録部１００８に記録されているプログラムを、入出力インターフェース１００５及びバス１００４を介して、RAM１００３にロードして実行することにより、上述した一連の処理が行われる。
【０２０３】
コンピュータ１０００（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線又は無線の伝送媒体を介して提供することができる。
【０２０４】
コンピュータ１０００では、プログラムは、リムーバブルメディア１０１１をドライブ１０１０に装着することにより、入出力インターフェース１００５を介して、記録部１００８にインストールすることができる。また、プログラムは、有線又は無線の伝送媒体を介して、通信部１００９で受信し、記録部１００８にインストールすることができる。その他、プログラムは、ROM１００２や記録部１００８に、あらかじめインストールしておくことができる。
【０２０５】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０２０６】
なお、本技術の実施の形態は、上述した実施の形態に限定されるものではなく、本技術の要旨を逸脱しない範囲において種々の変更が可能である。
【０２０７】
また、本技術は、以下のような構成をとることができる。
【０２０８】
（１）
物理層フレームのフレーム長に応じた時刻の精度を有する時刻情報を含むシグナリングを生成する生成部と、
前記シグナリングを、前記物理層フレームのプリアンブルに含まれるように処理する処理部と
を備えるデータ処理装置。
（２）
前記シグナリングは、第１の情報と、前記第１の情報の後に読み出される第２の情報とを含み、
前記時刻情報は、前記第１の情報及び前記第２の情報の少なくとも一方の情報に含まれる
（１）に記載のデータ処理装置。
（３）
前記物理層フレームのフレーム長は、ミリ秒単位よりも高い精度を有し、
前記時刻情報は、ミリ秒単位よりも高い精度を有する
（２）に記載のデータ処理装置。
（４）
前記第２の情報は、秒単位の時刻情報、及び、ミリ秒単位の時刻情報を含み、
前記第１の情報は、マイクロ秒単位の時刻情報、又は、マイクロ秒単位の時刻情報及びナノ秒単位の時刻情報の少なくとも一方の時刻情報を含む
（３）に記載のデータ処理装置。
（５）
前記第１の情報は、秒単位の時刻情報、ミリ秒単位の時刻情報、並びにマイクロ秒単位の時刻情報、又は、マイクロ秒単位の時刻情報及びナノ秒単位の時刻情報を含む
（３）に記載のデータ処理装置。
（６）
前記第２の情報は、秒単位の時刻情報、ミリ秒単位の時刻情報、並びにマイクロ秒単位の時刻情報、又は、マイクロ秒単位の時刻情報及びナノ秒単位の時刻情報を含む
（３）に記載のデータ処理装置。
（７）
前記物理層フレームのフレーム長は、ミリ秒単位の精度を有し、
前記時刻情報は、ミリ秒単位よりも高い精度を有する
（２）に記載のデータ処理装置。
（８）
前記物理層フレームは、ATSC(Advanced Television Systems Committee)3.0で規定される物理層フレームであって、
前記第１の情報は、ATSC3.0で規定されるプリアンブルに含まれるL1基本情報（L1-Basic）であり、
前記第２の情報は、ATSC3.0で規定されるプリアンブルに含まれるL1詳細情報（L1-Detail）である
（２）乃至（７）のいずれかに記載のデータ処理装置。
（９）
前記物理層フレームのフレーム長をミリ秒単位に調整する第１のモードと、前記物理層フレームのフレーム長を調整しない第２のモードがあり、
前記第２のモードが設定された場合に、前記時刻情報が、ミリ秒単位よりも高い精度を有するようにする
（３）乃至（８）のいずれかに記載のデータ処理装置。
（１０）
データ処理装置のデータ処理方法において、
前記データ処理装置が、
物理層フレームのフレーム長に応じた時刻の精度を有する時刻情報を含むシグナリングを生成し、
前記シグナリングを、前記物理層フレームのプリアンブルに含まれるように処理する
ステップを含むデータ処理方法。
（１１）
物理層フレームのプリアンブルに含まれる、前記物理層フレームのフレーム長に応じた時刻の精度を有する時刻情報を含むシグナリングを処理する処理部を備える
データ処理装置。
（１２）
前記シグナリングは、第１の情報と、前記第１の情報の後に読み出される第２の情報とを含み、
前記時刻情報は、前記第１の情報及び前記第２の情報の少なくとも一方の情報に含まれる
（１１）に記載のデータ処理装置。
（１３）
前記物理層フレームのフレーム長は、ミリ秒単位よりも高い精度を有し、
前記時刻情報は、ミリ秒単位よりも高い精度を有する
（１２）に記載のデータ処理装置。
（１４）
前記第２の情報は、秒単位の時刻情報、及び、ミリ秒単位の時刻情報を含み、
前記第１の情報は、マイクロ秒単位の時刻情報、又は、マイクロ秒単位の時刻情報及びナノ秒単位の時刻情報の少なくとも一方の時刻情報を含む
（１３）に記載のデータ処理装置。
（１５）
前記第１の情報は、秒単位の時刻情報、ミリ秒単位の時刻情報、並びにマイクロ秒単位の時刻情報、又は、マイクロ秒単位の時刻情報及びナノ秒単位の時刻情報を含む
（１３）に記載のデータ処理装置。
（１６）
前記第２の情報は、秒単位の時刻情報、ミリ秒単位の時刻情報、並びにマイクロ秒単位の時刻情報、又は、マイクロ秒単位の時刻情報及びナノ秒単位の時刻情報を含む
（１３）に記載のデータ処理装置。
（１７）
前記物理層フレームのフレーム長は、ミリ秒単位の精度を有し、
前記時刻情報は、ミリ秒単位よりも高い精度を有する
（１２）に記載のデータ処理装置。
（１８）
前記物理層フレームは、ATSC3.0で規定される物理層フレームであって、
前記第１の情報は、ATSC3.0で規定されるプリアンブルに含まれるL1基本情報（L1-Basic）であり、
前記第２の情報は、ATSC3.0で規定されるプリアンブルに含まれるL1詳細情報（L1-Detail）である
（１２）乃至（１７）のいずれかに記載のデータ処理装置。
（１９）
前記物理層フレームのフレーム長をミリ秒単位に調整する第１のモードと、前記物理層フレームのフレーム長を調整しない第２のモードがあり、
前記第２のモードが設定された場合に、前記時刻情報が、ミリ秒単位よりも高い精度を有するようにする
（１３）乃至（１８）のいずれかに記載のデータ処理装置。
（２０）
データ処理装置のデータ処理方法において、
前記データ処理装置が、
物理層フレームのプリアンブルに含まれる、前記物理層フレームのフレーム長に応じた時刻の精度を有する時刻情報を含むシグナリングを処理する
ステップを含むデータ処理方法。
【符号の説明】
【０２０９】
１  伝送システム，  １０  送信装置，  ２０  受信装置，  ３０  伝送路，  １０１  入力フォーマット処理部，  １０２  BICM処理部，  １０３  フレーム・インターリーブ処理部，  １０４  波形処理部，  １３１  データ処理部，  １３２  プリアンブル処理部，  １３３  ブートストラップ処理部，  ２０１  波形処理部，  ２０２  フレーム・デインターリーブ処理部，  ２０３  De-BICM処理部，  ２０４  出力フォーマット処理部，  ２３１  ブートストラップ処理部，  ２３２  プリアンブル処理部，  ２３３  データ処理部，  １０００  コンピュータ，  １００１  CPU
【図１】
2017090456.tif 000003
【図２】
2017090456.tif 000004
【図３】
2017090456.tif 000005
【図４】
2017090456.tif 000006
【図５】
2017090456.tif 000007
【図６】
2017090456.tif 000008
【図７】
2017090456.tif 000009
【図８】
2017090456.tif 000010
【図９】
2017090456.tif 000011
【図１０】
2017090456.tif 000012
【図１１】
2017090456.tif 000013
【図１２】
2017090456.tif 000014
【図１３】
2017090456.tif 000015
【図１４】
2017090456.tif 000016
【図１５】
2017090456.tif 000017
【図１６】
2017090456.tif 000018
【図１７】
2017090456.tif 000019
【図１８】
2017090456.tif 000020
【図１９】
2017090456.tif 000021
【図２０】
2017090456.tif 000022
【図２１】
2017090456.tif 000023
【図２２】
2017090456.tif 000024
【図２３】
2017090456.tif 000025
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
物理層フレームの時刻の精度を有する時刻情報を含むシグナリングを生成する生成部と、
前記シグナリングを、前記物理層フレームのプリアンブルに含まれるように処理する処理部と
を備えるデータ処理装置。
【請求項２】
前記シグナリングは、第１の情報と、前記第１の情報の後に読み出される第２の情報とを含み、
前記時刻情報は、前記第１の情報及び前記第２の情報の少なくとも一方の情報に含まれる
請求項１に記載のデータ処理装置。
【請求項３】
前記物理層フレームは、ミリ秒単位よりも高い精度を有し、
前記時刻情報は、ミリ秒単位よりも高い精度を有する
請求項２に記載のデータ処理装置。
【請求項４】
前記第２の情報は、秒単位の時刻情報、及び、ミリ秒単位の時刻情報を含み、
前記第１の情報は、マイクロ秒単位の時刻情報、又は、マイクロ秒単位の時刻情報及びナノ秒単位の時刻情報を含む
請求項３に記載のデータ処理装置。
【請求項５】
前記第１の情報は、秒単位の時刻情報、ミリ秒単位の時刻情報、並びにマイクロ秒単位の時刻情報、又は、マイクロ秒単位の時刻情報及びナノ秒単位の時刻情報を含む
請求項３に記載のデータ処理装置。
【請求項６】
前記第２の情報は、秒単位の時刻情報、ミリ秒単位の時刻情報、並びにマイクロ秒単位の時刻情報、又は、マイクロ秒単位の時刻情報及びナノ秒単位の時刻情報を含む
請求項３に記載のデータ処理装置。
【請求項７】
前記物理層フレームは、ミリ秒単位の精度を有し、
前記時刻情報は、ミリ秒単位よりも高い精度を有する
請求項２に記載のデータ処理装置。
【請求項８】
前記物理層フレームは、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）３．０で規定される物理層フレームであって、
前記第１の情報は、ＡＴＳＣ３．０で規定されるプリアンブルに含まれるＬ１基本情報（Ｌ１−Ｂａｓｉｃ）であり、
前記第２の情報は、ＡＴＳＣ３．０で規定されるプリアンブルに含まれるＬ１詳細情報（Ｌ１−Ｄｅｔａｉｌ）である
請求項２に記載のデータ処理装置。
【請求項９】
前記物理層フレームのフレーム長をミリ秒単位に調整する第１のモードと、前記物理層フレームのフレーム長を調整しない第２のモードがあり、
前記第２のモードが設定された場合に、前記時刻情報が、ミリ秒単位よりも高い精度を有するようにする
請求項３に記載のデータ処理装置。
【請求項１０】
データ処理装置のデータ処理方法において、
前記データ処理装置が、
物理層フレームの時刻の精度を有する時刻情報を含むシグナリングを生成し、
前記シグナリングを、前記物理層フレームのプリアンブルに含まれるように処理する
ステップを含むデータ処理方法。
【請求項１１】
物理層フレームのプリアンブルに含まれる、前記物理層フレームの時刻の精度を有する時刻情報を含むシグナリングを処理する処理部を備える
データ処理装置。
【請求項１２】
前記シグナリングは、第１の情報と、前記第１の情報の後に読み出される第２の情報とを含み、
前記時刻情報は、前記第１の情報及び前記第２の情報の少なくとも一方の情報に含まれる
請求項１１に記載のデータ処理装置。
【請求項１３】
前記物理層フレームは、ミリ秒単位よりも高い精度を有し、
前記時刻情報は、ミリ秒単位よりも高い精度を有する
請求項１２に記載のデータ処理装置。
【請求項１４】
前記第２の情報は、秒単位の時刻情報、及び、ミリ秒単位の時刻情報を含み、
前記第１の情報は、マイクロ秒単位の時刻情報、又は、マイクロ秒単位の時刻情報及びナノ秒単位の時刻情報を含む
請求項１３に記載のデータ処理装置。
【請求項１５】
前記第１の情報は、秒単位の時刻情報、ミリ秒単位の時刻情報、並びにマイクロ秒単位の時刻情報、又は、マイクロ秒単位の時刻情報及びナノ秒単位の時刻情報を含む
請求項１３に記載のデータ処理装置。
【請求項１６】
前記第２の情報は、秒単位の時刻情報、ミリ秒単位の時刻情報、並びにマイクロ秒単位の時刻情報、又は、マイクロ秒単位の時刻情報及びナノ秒単位の時刻情報を含む
請求項１３に記載のデータ処理装置。
【請求項１７】
前記物理層フレームは、ミリ秒単位の精度を有し、
前記時刻情報は、ミリ秒単位よりも高い精度を有する
請求項１２に記載のデータ処理装置。
【請求項１８】
前記物理層フレームは、ＡＴＳＣ３．０で規定される物理層フレームであって、
前記第１の情報は、ＡＴＳＣ３．０で規定されるプリアンブルに含まれるＬ１基本情報（Ｌ１−Ｂａｓｉｃ）であり、
前記第２の情報は、ＡＴＳＣ３．０で規定されるプリアンブルに含まれるＬ１詳細情報（Ｌ１−Ｄｅｔａｉｌ）である
請求項１２に記載のデータ処理装置。
【請求項１９】
前記物理層フレームのフレーム長をミリ秒単位に調整する第１のモードと、前記物理層フレームのフレーム長を調整しない第２のモードがあり、
前記第２のモードが設定された場合に、前記時刻情報が、ミリ秒単位よりも高い精度を有するようにする
請求項１３に記載のデータ処理装置。
【請求項２０】
データ処理装置のデータ処理方法において、
前記データ処理装置が、
物理層フレームのプリアンブルに含まれる、前記物理層フレームの時刻の精度を有する時刻情報を含むシグナリングを処理する
ステップを含むデータ処理方法。
【国際調査報告】
2017090456.tif 000026
2017090456.tif 000027
2017090456.tif 000028